(57)【要約】【課題】スピーカの音量や音質を低下することなく出力部を保護し得る遊技機を提供する。【解決手段】前枠１５の第１スピーカ設置部２３に第１スピーカ２５が配設される。第１スピーカ２５の放音口２９ａの前側にホーン３６が配設される。ホーン３６には、後端の入口開口３９ａから前端の出口開口３９ｂに向かって開口面積が拡がる導音路３９が形成される。ホーン３６には、導音路３９を前後に仕切る保護部材４１が配設される。保護部材４１におけ導音路３９に臨む領域に、複数の通孔４１ａが形成される。保護部材４１に開設された通孔４１ａの総開口面積は、第１スピーカ２５の放音口２９ａの開口面積の７０％以上に設定される。【選択図】図２
2014008170.tif 000002
【特許請求の範囲】
【請求項１】
フレームに設けられて音の出力方向に開口された放音口と、該放音口の内側を覆う出力部とを備えるスピーカを、機前面側を構成する前面部材に配設した遊技機において、
前記出力部の前側に配設され、開口面積が出力部側の入口開口から出口開口に向かって拡がる導音路が形成されたホーンと、
前記ホーンの導音路を前記放音口より開口面積が大きな部位で塞ぐように設けられ、前記放音口から放出される音の通過を許容する複数の通孔が前後方向に貫通して形成された保護部材とを備え、
前記保護部材の通孔の総開口面積は、前記放音口の開口面積の７０％以上に設定された
ことを特徴とする遊技機。
【請求項２】
前記保護部材は、複数の通孔を穿設した多孔金属板である請求項１記載の遊技機。
【請求項３】
前記導音路の入口開口は、前記放音口に略一致するよう構成された請求項１または２記載の遊技機。
【請求項４】
前記保護部材は、前方または後方に向けて凸となるドーム状に形成された請求項１〜３の何れか一項に記載の遊技機。
【請求項５】
前記前面部材に、遊技盤を前側から視認可能な可視部が設けられ、該可視部の外側に位置する上部の左右角部の夫々にスピーカが配設され、各スピーカの出力部の前側に配設されたホーンにおける導音路の出口開口は、前記可視部の正面中央側に向けて斜めに向く姿勢となっている請求項１〜４の何れか一項に記載の遊技機。
【発明の詳細な説明】
【技術分野】
【０００１】
本発明は、スピーカを備えた遊技機に関するものである。
【背景技術】
【０００２】
代表的な遊技機であるパチンコ機は、前後に開口する矩形枠状に形成されて遊技店の設置枠台に固定される固定枠としての外枠と、該外枠に対して開閉可能に支持されて遊技盤を着脱可能に保持する本体枠としての中枠と、該中枠の前側に開閉可能に支持されてパチンコ機前面を装飾すると共に遊技盤を透視保護する装飾枠としての前枠とを基本的に備えている。またパチンコ機では、前記遊技盤の盤面に画成した遊技領域の略中央位置に枠状の装飾部材(所謂センター役物)が配設されて、該装飾部材の開口から液晶式やドラム式等の図柄表示装置を臨ませ、この図柄表示装置で図柄組み合わせゲームやリーチ演出等の遊技演出を行なうよう構成されている。
【０００３】
前記パチンコ機では、各種効果音を出力するスピーカを配設し、図柄表示装置で行なわれる遊技演出に合わせて各種効果音をスピーカから出力することで、遊技の臨場感や興趣を高めるようにしている(例えば、特許文献１参照)。
【先行技術文献】
【特許文献】
【０００４】
【特許文献１】特開２００５−６５７２２号公報
【発明の概要】
【発明が解決しようとする課題】
【０００５】
前記スピーカは、遊技者にその出力部(振動板)から出力される効果音をより鮮明に伝えるためには、出力部をできる限り遊技機の前面近傍に位置するように配設するのが望ましい。しかし、出力部をそのまま外部に露出させると、遊技者の悪戯等により出力部が損傷されるおそれがある。そこで、従来は、出力部の開口寸法に合わせた大きさのカバー部材に、効果音の通過を許容し得る多数の通孔を形成し、該カバー部材で出力部の前側を覆って保護する構成が採られている。
【０００６】
しかしながら、出力部の開口寸法に合わせた大きさのカバー部材で該出力部を覆う構成では、該カバー部材に多数の通孔を形成したとしても、出力部の開口面積に対してカバー部材に形成した全ての通孔を総合した開口面積は小さくなるため、出力部から出力される音量が低下したり音質が劣化してしまう問題が指摘される。
【０００７】
すなわち本発明は、従来の技術に内在する前記問題に鑑み、これらを好適に解決するべく提案されたものであって、スピーカの音量や音質を低下することなく出力部を保護し得る遊技機を提供することを目的とする。
【０００８】
前記課題を克服し、所期の目的を達成するため、本願の請求項１に係る発明は、
フレーム(29)に設けられて音の出力方向に開口された放音口(29a)と、該放音口(29a)の内側を覆う出力部(30)とを備えるスピーカ(25,26)を、機前面側を構成する前面部材(15)に配設した遊技機において、
前記出力部(30)の前側に配設され、開口面積が出力部(30)側の入口開口(39a)から出口開口(37c,39b)に向かって拡がる導音路(37d,39)が形成されたホーン(36,37)と、
前記ホーン(36,37)の導音路(37d,39)を前記放音口(29a)より開口面積が大きな部位で塞ぐように設けられ、前記放音口(29a)から放出される音の通過を許容する複数の通孔(41a)が前後方向に貫通して形成された保護部材(41)とを備え、
前記保護部材(41)の通孔(41a)の総開口面積は、前記放音口(29a)の開口面積の７０％以上に設定されたことを要旨とする。
【０００９】
請求項１に係る発明によれば、スピーカの音量や音質を低下することなく出力部を保護することができる。
【００１０】
請求項２に記載の発明では、前記保護部材(41)は、複数の通孔(41a)を穿設した多孔金属板であることを要旨とする。
請求項２に係る発明によれば、製造コストを低廉に抑えることができる。
【００１１】
請求項３に記載の発明では、前記導音路(37d,39)の入口開口(39a)は、前記放音口(29a)に略一致するよう構成されたことを要旨とする。
請求項３に係る発明によれば、放音口から放出される音をホーンによって効率的に外部に放出し得る。
【００１２】
請求項４に記載の発明では、前記保護部材(41)は、前方または後方に向けて凸となるドーム状に形成されたことを要旨とする。
請求項４に係る発明によれば、通孔による開口面積を稼ぐことができる。
【００１３】
請求項５に記載の発明では、前記前面部材(15)に、遊技盤を前側から視認可能な可視部(15a)が設けられ、該可視部(15a)の外側に位置する上部の左右角部の夫々にスピーカ(25,26)が配設され、各スピーカ(25,26)の出力部(30)の前側に配設されたホーン(36,37)における導音路(37d,39)の出口開口(37c,39b)は、前記可視部(15a)の正面中央側に向けて斜めに向く姿勢となっていることを要旨とする。
請求項５に係る発明によれば、遊技盤の正面に位置する遊技者に効果音を効果的に聞かせることができる。
【発明の効果】
【００１４】
本発明に係る遊技機によれば、スピーカの音量や音質を低下することなく出力部を保護することができる。
【図面の簡単な説明】
【００１５】
【図１】本発明の好適な実施例に係るパチンコ機を示す正面図である。
【図２】図１のＡ−Ａ線で示す要部断面図である。
【図３】図１のＢ−Ｂ線で示す要部断面図である。
【図４】実施例の前枠の上枠部から第１スピーカ、取着部材、保護部材、発光基板、ホーンおよび後カバーを分解して前側から見た状態で示す概略斜視図である。
【図５】実施例の第１スピーカ、取着部材、保護部材、発光基板およびホーンを分解して後側から見た状態で示す概略斜視図である。
【図６】実施例の第１スピーカとホーンとの関係を示す説明断面図である。
【図７】図１のＣ−Ｃ線で示す要部断面図である。
【図８】実施例の前枠の上枠部から第２スピーカ、取着部材、保護部材、発光基板、ホーンおよび後カバーを分解して前側から見た状態で示す概略斜視図である。
【図９】実施例の第２スピーカ、取着部材、保護部材、発光基板およびホーンを分解して後側から見た状態で示す概略斜視図である。
【図１０】実施例の第２スピーカとホーンとの関係を示す説明断面図である。
【発明を実施するための形態】
【００１６】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明では、「前」、「後」、「左」、「右」とは、特に断りのない限り、図１に示すようにパチンコ機１０を正面側(遊技者側)から見た状態で指称するものとする。
【実施例】
【００１７】
(パチンコ機１０について)
実施例に係るパチンコ機１０は、図１または図２に示すように、前後に開口する矩形枠状に形成されて遊技店の図示しない設置枠台に縦置き姿勢で設置される固定枠としての外枠１１の開口前面側に、遊技盤１２を着脱可能に保持する本体枠としての中枠１３が開閉および着脱可能に組み付けられて、該遊技盤１２の裏側に、各種図柄を変動表示可能な図柄表示装置１４が着脱可能に配設されている。また、前記中枠１３の前面側には、前記遊技盤１２を透視保護するガラス板や透明な合成樹脂材により形成された透明部材２０で前後に開口する窓口１５ａを覆うよう構成された装飾枠としての前枠(機前面側を構成する前面部材)１５が開閉可能に組み付けられる。前枠１５の下部位置には、パチンコ球を貯留する上球受け皿１６および下球受け皿１７が上下に離間して前枠１５と一体的に開閉可能に設けられている。また前枠１５には、下球受け皿１７の側方に、前記中枠１３に配設された打球発射装置(図示せず)を作動する操作ハンドル１８が設けられ、該操作ハンドル１８の回動操作によって打球発射装置が作動されて、前記上球受け皿１６に貯留されたパチンコ球が前記遊技盤１２に向けて発射されるようになっている。なお、実施例では、前記図柄表示装置１４としては、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の図柄表示装置を採用し得る。
【００１８】
(外枠１１および中枠１３について)
前記外枠１１は、４つの枠部材を相互に組み付けることで縦長の矩形枠体として構成されている。また、前記中枠１３は、上下左右の各枠部を相互に組み付けることで枠状に構成されたものであって、全体が外枠１１の開口領域に整合する大きさに形成される。そして、外枠１１に対して中枠１３は、左側枠部がヒンジ機構(図示せず)を介して回動自在に支持され、外枠１１に対して中枠１３を左側枠部側を中心として回動して閉成することで、外枠１１の内側に中枠１３が収容されるよう構成される。中枠１３の右側枠部には施錠装置(図示せず)が設けられ、外枠１１に対して中枠１３を閉成した状態で、該施錠装置により右側枠部が外枠１１に対して施錠されるようになっている。また、中枠１３には、上下左右の枠部を組み付けることで前後に開口する遊技盤保持部が画成され、該遊技盤保持部に遊技盤１２が着脱自在にセット保持される。
【００１９】
(遊技盤１２について)
前記遊技盤１２は、合板等の木製板部材の表面にセル板を配設したもの、あるいはアクリル板等の透明な合成樹脂材等からなる平板状の板部材で構成される。遊技盤１２の前面には、案内レール１９によって遊技領域１２ａが画成され、前記中枠１３に配設された打球発射装置から発射されたパチンコ球が遊技領域１２ａ内に打ち出され、該遊技領域１２ａ内をパチンコ球が流下して遊技が行なわれる。また遊技盤１２の前面には、図１では図示省略してあるが、遊技領域１２ａ内に枠状装飾部材、パチンコ球が入賞可能な始動入賞装置、特別入賞装置、普通入賞装置等の各種入賞装置および多数本の遊技釘や風車等の各種遊技部品が配設されている。遊技盤１２の裏側には、図柄表示装置１４、可動演出装置および発光装置等の各種の遊技部品が配設される合成樹脂材で形成された設置部材(図示せず)が配設される。そして、設置部材に形成された前後に開口する開口部および枠状装飾部材に形成した開口部を介して図柄表示装置１４の表示部を前面側から視認し得るよう構成されている。
【００２０】
前記始動入賞装置には、遊技領域１２ａを流下するパチンコ球が入賞可能な始動入賞口が設けられ、該始動入賞口へ入賞したパチンコ球が始動入賞センサで検出されることで、図柄表示装置１４の表示部で図柄変動が開始されると共に、所定数(例えば５個)のパチンコ球が賞球として前記上下の球受け皿１６,１７に払い出される。また、前記特別入賞装置は、入賞口が開閉扉で常には閉鎖されており、前記図柄表示装置１４での図柄変動の結果、図柄表示装置１４に所定の図柄組み合わせ(例えば同一図柄の三つ揃い等)で図柄が停止表示されることで所謂「大当り」が発生し、これにより開閉扉が開放するよう作動制御されて、入賞口への入賞により多数の賞球を獲得し得る機会が遊技者に与えられるようになっている。
【００２１】
(前枠１５について)
前記前枠１５は、全体が合成樹脂により前記中枠１３の外形サイズに成形され、前記遊技盤１２の遊技領域１２ａを前側から視認し得る前記窓口(可視部)１５ａが開設される。また、前枠１５の裏側に保持した透明部材２０によって、遊技盤１２の遊技領域１２ａを透視可能に保護するよう構成される。前枠１５は、上縁をなす上枠部２１ａと、下縁をなす下枠部２１ｂと、左縁(一方の側縁)をなす左枠部２１ｃと、右縁(他方の側縁)をなす右枠部２１ｄが一体的に成形され、下枠部２１ｂの前面に前記上下の球受け皿１６,１７が設けられている。そして、中枠１３に対して前枠１５は、左枠部２１ｃがヒンジ機構(図示せず)を介して回動自在に支持され、中枠１３に対して前枠１５を左枠部２１ｃ側を中心として回動して閉成することで、中枠１３の前側が前枠１５で覆われる。また、中枠１３に対して前枠１５を閉成した状態で、前記施錠装置を利用して右枠部２１ｄが中枠１３に対して施錠されるようになっている。なお、実施例では前枠１５に上下の球受け皿１６,１７を一体的に設けるようにしたが、下球受け皿１７を中枠１３に対して開閉自在に配設する構成を採用し得る。また、球受け皿については、上下２枚の球受け皿１６,１７を備えるものに限らず、１枚の球受け皿のみを設ける構成であってもよい。
【００２２】
前記前枠１５の上枠部２１ａに、後述するスピーカ２５,２６が配設されている(図３,図７参照)。なお、前枠１５の各枠部２１ａ,２１ｂ,２１ｃ,２１ｄには、ＬＥＤ等の発光体を実装した発光基板を備える照明装置(図示せず)が配設され、該照明装置は、対応する枠部２１ａ,２１ｂ,２１ｃ,２１ｄの前面に着脱自在に配設される光透過性の装飾カバー２２によって覆われている。そして、前枠１５の上下左右の枠部２１ａ,２１ｂ,２１ｃ,２１ｄに配設された装飾カバー２２によって、前記窓口１５ａが画成される。
【００２３】
(スピーカ設置部２３,２４について)
前記前枠１５の上側の左右両角隅部には、図４または図８に示す如く、スピーカ設置部２３,２４が設けられ、該スピーカ設置部２３,２４にスピーカ２５,２６が着脱自在に取り付けられるよう構成される。なお、両スピーカ設置部２３,２４を区別する場合は、正面右側のスピーカ設置部２３を第１スピーカ設置部と指称すると共に、正面左側のスピーカ設置部２４を第２スピーカ設置部と指称する。また、スピーカ２５,２６についても、両スピーカ２５,２６を区別する場合は、第１スピーカ設置部２３に取り付けられるものを第１スピーカと指称し、第２スピーカ設置部２４に取り付けられるものを第２スピーカと指称する。
【００２４】
前記左右のスピーカ設置部２３,２４の構成は基本的には左右対称であるので、右側の第１スピーカ設置部２３の構成について説明し、左側の第２スピーカ設置部２４の同一部位には同じ符号を付して詳細説明は省略する。
【００２５】
前記第１スピーカ設置部２３は、図２〜図４に示す如く、前側を向く面が平らに形成された取着部２７に、前後方向に開口する挿通孔２７ａが形成され、前記第１スピーカ２５は、後述する取着部材３３を介して取着部２７に着脱自在に取り付けられる。そして、第１スピーカ設置部２３に取り付けられた第１スピーカ２５は、該スピーカ２５の後部分が、挿通孔２７ａを介して取着部２７の裏側に突出するよう構成される。また、取着部２７の裏側には、挿通孔２７ａから裏側に突出する第１スピーカ２５の後部分を被覆する後カバー２８が着脱自在に取り付けられ、該後カバー２８と第１スピーカ設置部２３との間に、第１スピーカ２５の後部分を収容する音響空間Ｓ１を画成するよう構成される。なお、取着部２７の前面は、斜め下方であって前記窓口１５ａの正面中央を向くよう設定され、該取着部２７に取り付けられた第１スピーカ２５の後述する放音口２９ａおよび第１スピーカ２５の前側に配設された後述するホーン３６の出口開口３９ｂが、窓口１５ａの正面中央を向くように構成されている。より具体的には、図１に示に示す如く、右側のホーン３６の出口開口３９ｂ(後述する第１ホーン部材３７の前端側の開口３７ｃ)は左斜め下方を向くと共に、左側のホーン３６の出口開口３９ｂ(後述する第１ホーン部材３７の前端側の開口３７ｃ)は右斜め下方を向くよう構成されて、前枠１５の上部左右の角隅部に位置するホーン３６,３６の出口開口３９ｂ,３９ｂからは、窓口１５ａの正面中央に向けて効果音が放出されるようになっている。
【００２６】
(スピーカ２５,２６について)
前記前枠１５のスピーカ設置部２３,２４に取り付けられる左右のスピーカ２５,２６および該スピーカ２５,２６に関連する部品の基本構成は同じであるので、第１スピーカ側の構成について説明し、第２スピーカ側の同一部品および部位には同じ符号を付して詳細説明は省略し、異なる部分については別途説明する。
【００２７】
(第１スピーカ２５について)
前記第１スピーカ２５は、図２〜図６に示す如く、前方に向けて放音口２９ａを開口したフレーム２９と、放音口２９ａの内側を覆うようにフレーム２９に支持された振動板からなる出力部３０と、フレーム２９に支持された駆動部３１とから構成される。放音口２９ａは、正面視において円形に形成されると共に、フレーム２９の前面には、放音口２９ａの周縁を囲むように前方に突出する区画壁３２がリング状に立設されている。そして、第１スピーカ２５は、フレーム２９における区画壁３２から外方に延出するフランジ部２９ｂの複数箇所が、取着部材３３の後側にネジ止め固定されるようになっている。
【００２８】
(取着部材３３について)
前記取着部材３３は、図４および図５に示す如く、リング状に形成された部材であって、その中央部には、前記放音口２９ａと略同一直径の円形の中心通孔３３ａが形成されている。また、取着部材３３の裏面には、中心通孔３３ａの周縁に沿って前側に凹む後周溝３３ｂが形成される。そして、後周溝３３ｂに前記区画壁３２を嵌合して第１スピーカ２５の放音口２９ａと中心通孔３３ａとが前後に整列した状態で、該第１スピーカ２５が取着部材３３にネジ止め固定される。取着部材３３には、後方に突出するフック３４および前後方向に貫通するネジ用孔３５が夫々複数設けられており、該取着部材３３は、フック３４およびネジ用孔３５に前側から挿通したネジを介して前記第１スピーカ設置部２３の取着部２７に前側から取り付けられるよう構成される。そして、取着部２７の前側に取着部材３３を取り付けた状態で、前記挿通孔２７ａから裏側に突出する第１スピーカ２５の後部分が前記音響空間Ｓ１に収容されるようになっている(図２,図３参照)。また、取着部材３３の前面には、後述するホーン３６の第１ホーン部材３７との間に収容空間Ｓ２を画成する後側に凹む前周溝３３ｃが形成されている。
【００２９】
(ホーン３６について)
前記第１スピーカ設置部２３に取り付けられた取着部材３３の前側に、ホーン３６が配設され、該ホーン３６の前端部が、前枠１５の前側に露出するよう構成される。なお、前枠１５の前側に露出するホーン３６の周囲は、前記装飾カバー２２で覆われている。
【００３０】
前記ホーン３６は、図２,図３および図６に示す如く、第１ホーン部材(ホーン)３７と第２ホーン部材３８とを前後の関係で組み付けることで構成されて、両ホーン部材３７,３８によって前後方向に開口する導音路３９が形成される。導音路３９における後端の開口(第１ホーン部材３７の後端側の開口)である入口開口３９ａおよび前端の開口(第２ホーン部材３８の前端側の開口)である出口開口３９ｂは、何れも円形に開口すると共に、入口開口３９ａから出口開口３９ｂに向かって開口面積が漸次拡がるように形成されて、該出口開口３９ｂが前枠１５の前側で開口している。実施例では、第１ホーン部材３７の前端側の開口(出口開口)３７ｃと、第２ホーン部材３８の後端側の開口３８ｃとが後述する保護部材４１を介して連通されており、第１ホーン部材３７は、後端側の開口(入口開口３９ａ)から前端側の開口(保護部材４１が塞ぐように設けられる出口開口)３７ｃに向けて開口面積が漸次拡がるように形成されている。また実施例では、右側に配設されるホーン３６の導音路３９は、入口開口３９ａから出口開口３９ｂに向かって直線的に拡がるように形成されると共に、導音路３９における第１ホーン部材３７で画成される第１導音部(導音路)３７ｄと、第２ホーン部材３８で画成される第２導音部(導音路)３８ｄとでは、後側から前側への拡開角度が異なるよう設定される。すなわち、図６に示す如く、導音路３９における第１ホーン部材３７で画成される第１導音部３７ｄの後側から前側への拡開角度より、第２ホーン部材３８で画成される第２導音部３８ｄの後側から前側への拡開角度が大きくなっている。
【００３１】
前記導音路３９における入口開口３９ａの直径は、前記第１スピーカ２５の放音口２９ａおよび取着部材３３の中心通孔３３ａと同一か僅かに大きく設定されており、入口開口３９ａから開口面積が漸次拡がるように形成された導音路３９における出口開口３９ｂの開口面積は、前記放音口２９ａより大きくなっている。実施例では、後述するように第１ホーン部材３７と第２ホーン部材３８とで保護部材４１を挟持する部位(第１ホーン部材３７の前端側の開口３７ｃ(出口開口)の開口面積も、放音口２９ａより大きくなっている。第１ホーン部材３７は、円盤状の本体部３７ａの内周縁および外周端から後方に向けて縁壁３７ｂが夫々突設されており、該第１ホーン部材３７は、縁壁３７ｂの後端を前記取着部材３３の前端に当接した状態で配置される。そして、取着部材３３の前側に第１ホーン部材３７を配置した状態で、前記入口開口３９ａが、取着部材３３の中心通孔３３ａと略整合するよう構成されている。すなわち、前記第１スピーカ２５の放音口２９ａの前側において、ホーン３６の入口開口３９ａが放音口２９ａと略一致する状態でホーン３６(第１ホーン部材３７)が配置されて、放音口２９ａから放出される音がホーン３６の導音路３９に円滑に導入されるようになっている。
【００３２】
前記取着部材３３の前側にホーン３６の第１ホーン部材３７を配置した状態で、両部材３３,３６間に環状の収容空間Ｓ２が画成され、該収容空間Ｓ２に略環状に形成した発光基板４０が収容される。すなわち、取着部材３３における前記前周溝３３ｃの前側を塞ぐように第１ホーン部材３７が配設されて、該前周溝３３ｃの前側に収容空間Ｓ２が画成される。この発光基板４０の前面には、複数のＬＥＤ４０ａが実装されている。また、第１ホーン部材３７は、光透過性を有し、前記発光基板４０のＬＥＤ４０ａから照射された光を前側に透過可能に構成されている。前記収容空間Ｓ２は、ホーン３６における導音路３９の外側に画成されて、該収容空間Ｓ２に収容された発光基板４０は、前記放音口２９ａの前側に重ならないようになっている。
【００３３】
前記ホーン３６の第２ホーン部材３８は、図２,図３,図５,図６に示す如く、前記導音路３９を画成する筒状の内壁３８ａと、該内壁３８ａの外側に離間して設けられて前端で内壁３８ａに接続する筒状の外壁３８ｂとを備える。第２ホーン部材３８は、内壁３８ａの後端を前記第１ホーン部材３７の本体部３７ａにおける前端の内周側に、後述する保護部材４１を介して当接すると共に、外壁３８ｂの後端を第１ホーン部材３７の本体部３７ａにおける前端の外周側に臨ませて配置され、前記発光基板４０のＬＥＤ４０ａから照射されて第１ホーン部材３７を透過した光が内壁３８ａと外壁３８ｂとの間の空間に導入可能に構成されている。第２ホーン部材３８は、光透過性を有すると共に、内壁３８ａの外周面および外壁３８ｂの内周面には光拡散処理が施されており、前記ＬＥＤ４０ａから照射された光を拡散して、第１スピーカ２５の前側周囲を光によって効果的に装飾し得るよう構成される。
【００３４】
(保護部材４１について)
前記ホーン３６には、前記導音路(内部空間)３９を前後方向に仕切る保護部材４１が配設されている。この保護部材４１は、図４および図５に示す如く、円盤状の部材であって、前記第２ホーン部材３８と第１ホーン部材３７とによって外周縁部が前後から挟持された状態でホーン３６に配設されて、導音路３９の途中(放音口２９ａより開口面積が大きな部位)で該導音路３９を塞ぐように設けられる。すなわち、実施例では、第１ホーン部材３７の前端側の開口(出口開口)３７ｃが、保護部材４１で塞がれるようになっている。保護部材４１における導音路３９に臨む部分(以後、通孔形成領域という)には、前後方向に貫通して音の通過を許容する複数の通孔４１ａが形成されており、前記第１スピーカ２５の出力部３０から出力された音(放音口２９ａから放出された音)は、これら複数の通孔４１ａを通って前方に放出されるよう構成される。この保護部材４１は、実施例ではパンチングメタル等の多孔金属板が採用され、外部(導音路３９の出口開口３９ｂ)から挿入された異物が第１スピーカ２５の出力部３０に至るのを防ぐことができるよう構成される。また、実施例の通孔４１ａは、同一開口面積に設定された円形の孔であって、保護部材４１の通孔形成領域において、複数の通孔４１ａは略均等な間隔で開設されている。
【００３５】
前記保護部材４１の通孔形成領域の面積は、放音口２９ａの開口面積よりも大きく設定されると共に、該通孔形成領域に開設された通孔４１ａの総開口面積Ｌは、前記第１スピーカ２５における放音口２９ａの開口面積Ｍの７０％以上に設定される。すなわち、通孔４１ａの総開口面積Ｌは、Ｌ≧０.７×Ｍの範囲で設定される。そして、通孔４１ａの総開口面積Ｌを放音口２９ａの開口面積Ｍの７０％以上とすることで、放音口２９ａから放出される音を、前記窓口１５ａの正面に位置する遊技者に対して体感的に劣化していない音量および音質で聞かせることができるようになっている。なお、保護部材４１に対する通孔４１ａの開口率をＰ、保護部材４１が導音路３９を仕切っている位置の該導音路３９の開口面積(実施例では第１ホーン部材３７の前端側の開口３７ｃの開口面積)をＮとすると、保護部材４１の開口率Ｐ、導音路３９の開口面積Ｎおよび放音口２９ａの開口面積Ｍの関係は、Ｐ×Ｎ≧０.７×Ｍの関係となるよう設定される。また保護部材４１は、図６に示す如く、通孔形成領域の中央部分が、後方に向けて凸となるドーム状に形成されて保護部材４１の表面積を大きくすることで、通孔４１ａの総開口面積Ｌを稼ぐことができるようになっている。
【００３６】
(第２スピーカ２６の前側に配設されるホーン３６について)
前記第２スピーカ２６の前側に配設されるホーン３６について、第１スピーカ２５の前側に配設されるホーン３６と異なる構成について説明する。ここで、第１スピーカ２５の前側に配設されるホーン３６を第１ホーンと指称すると共に、第２スピーカ２６の前側に配設されるホーン３６を第２ホーンと指称して区別することとする。
【００３７】
前記第２ホーン３６の導音路３９は、図１０に示す如く、入口開口３９ａから出口開口３９ｂに向かうにつれて拡開するように湾曲して形成されている。すなわち、実施例では、右側の第１ホーン３６の導音路３９が直線状に拡開するメガホン型としてあるのに対し、左側の第２ホーン３６の導音路３９が曲線状に拡開するラッパ型(エクスポネンシャル型)として、左右のホーン３６,３６における音響特性を異ならせるよう構成される。また、第２ホーン３６の導音路３９における第１ホーン部材３７で画成される第１導音部３７ｄと、第２ホーン部材３８で画成される第２導音部３８ｄとは略同じ曲率に設定されている。
【００３８】
前記第２ホーン３６を構成する第１ホーン部材３７は、図７〜図１０に示す如く、円盤状の本体部３７ａの内周縁のみから後方に向けて縁壁３７ｂが突設されており、該第１ホーン部材３７は、縁壁３７ｂの後端を前記取着部材３３の前端に当接した状態で配置される。なお、第２ホーン３６の第１ホーン部材３７には、本体部３７ａの外周縁から後方に突出する縁壁３７ｂは設けられていないが、取着部材３３の前側に第１ホーン部材３７を配置した状態で、図７および図１０に示す如く、本体部３７ａの内周縁に突設した縁壁３７ｂの外側に画成された環状の収容空間Ｓ２に発光基板４０が収容され、該発光基板４０に実装したＬＥＤ４０ａから照射される光で第２ホーン部材３８を照らし得るよう構成される。
【００３９】
前記第２ホーン３６の第２ホーン部材３８における外壁３８ｂは、その後部開口が前記取着部材３３の外径寸法より大きく設定されて、図７,図１０に示す如く、前記取着部材３３の前側に第２ホーン３６を配設した状態で、該外壁３８ｂの内側に取着部材３３が臨むようになっている。すなわち、前記発光基板４０が収容される収容空間Ｓ２は、第２ホーン３６の外壁３８ｂ、第１ホーン部材３７および取着部材３３によって画成される。また、第２ホーン３６の外壁３８ｂの表面には、第１ホーン３６の外壁３８ｂとは異なる意匠が施されており、前記ＬＥＤ４０ａから照射された光によって、第２スピーカ２６の前側周囲を第１ホーン３６とは異なる形態で効果的に装飾し得るよう構成される。
【００４０】
(実施例の作用)
次に、実施例に係るパチンコ機１０の作用につき説明する。
【００４１】
前記中枠１３の前面側に設けた前記操作ハンドル１８を遊技者が回転操作すると、前記打球発射装置から発射されたパチンコ球が前記遊技盤１２の遊技領域１２ａ内に打ち出される。遊技領域１２ａを流下するパチンコ球が前記始動入賞装置に入賞することを契機として、前記図柄表示装置１４での図柄変動演出が開始され、図柄変動演出の結果、図柄表示装置１４の表示部に所定の図柄組み合わせが表示されると大当りが発生する。大当りが発生すると、図柄表示装置１４に表示された図柄組み合わせに応じて、前記遊技盤１２に設けられた特別入賞装置が開放されると共に、図柄表示装置１４において大当り演出が行なわれる。また、パチンコ機１０では、図柄表示装置１４での演出や各種遊技状態に応じて、前記前枠１５の上枠部２１ａに設けたスピーカ２５,２６から各種効果音が出力されたり、前枠１５に配設した各照明装置および前記スピーカ２５,２６の前側周囲に配設したＬＥＤ４０ａが点灯・点滅するよう制御されることで、遊技の臨場感や興趣が高められる。
【００４２】
前記前枠１５の窓口１５ａより上側の左右角隅部に配設されている各スピーカ２５,２６の前側に配置された各ホーン３６の出口開口３９ｂは、図１に示す如く、窓口１５ａの正面中央を向いているから、前記スピーカ２５,２６の出力部３０から出力されて放音口２９ａを通過した音は、遊技を行なっている遊技者の頭部近傍に向けてホーン３６を介して放出され、前記図柄表示装置１４の表示部を注視している遊技者に対して効果音を効果的に聞かせることができ、演出効果を向上し得る。また、スピーカ２５,２６における放音口２９ａの前側に、入口開口３９ａから出口開口３９ｂに向かって開口面積が拡がる導音路３９を画成したホーン３６を配設してあるので、該放音口２９ａから放出される効果音を効果的に外部に放出することができる。しかも、実施例では、左右のホーン３６における導音路３９の形状を異なるように構成してあるので、各ホーン３６から放出される音の特性を異ならせることができ、効果音による興趣をより高めることができる。
【００４３】
ここで、前記導音路３９は、保護部材４１によって前後に仕切られているので、外部から挿入される異物を出力部３０にまで至るのを該保護部材４１で阻止することができ、出力部３０が破損されるのを防止し得る。また、保護部材４１における導音路３９に臨む通孔形成領域の面積は、放音口２９ａの開口面積Ｍよりも大きく、該領域に形成されている通孔４１ａの総開口面積Ｌは、放音口２９ａの開口面積Ｍの７０％以上に設定されている。言い替えるなら、実施例では導音路３９を、入口開口３９ａから出口開口３９ｂに向かって開口面積が拡がるように形成し、該導音路３９を途中で前後に仕切るように保護部材４１を配設したことにより、該保護部材４１における導音路３９に臨む部分(通孔形成領域)の面積を、放音口２９ａの開口面積よりも大きくすることができ、これによって該通孔形成領域に形成する通孔４１ａの総開口面積Ｌを放音口２９ａの開口面積Ｍの７０％以上にすることが可能になったものである。そして、このように保護部材４１に形成した通孔４１ａの総開口面積Ｌを放音口２９ａの開口面積Ｍの７０％以上に設定することで、放音口２９ａから放出される音量の低下や音質の劣化を小さく抑えたもとで、出力部３０を保護することができる。また、実施例では、ホーン３６における導音路３９の途中に保護部材４１を配設したので、放音口２９ａおよび第１ホーン部材３７の第１導音部３７ｄに導びかれて保護部材４１に至った音が、該保護部材４１の通孔４１ａを通過した後に拡散することなく、第２ホーン部材３８の第２導音部３８ｄによって案内されることで指向性を保つことができ、意図した部分(窓口１５ａの正面中央)に向けて効果的に効果音を放出し得る。
【００４４】
実施例の保護部材４１は、通孔形成領域の中央部分をドーム状に形成したので、該領域の表面積を、放音口２９ａの開口面積に対してより大きくすることができ、通孔４１ａの総開口面積Ｌを稼ぐことが可能となる。また、実施例の保護部材４１を多孔金属板で構成したので、異物によって該保護部材４１が破損されるのを防ぐことができると共に、該保護部材４１の製造が容易でコストも低廉に抑えることができる。更に、ホーン３６における導音路３９の入口開口３９ａを、スピーカ２５,２６の放音口２９ａと前後方向に整列するよう構成したので、該放音口２９ａから放出される音を導音路３９に円滑に導びくことができ、ホーン３６によって効果音を効率的に外部に放出し得る。実施例の保護部材４１は、ホーン３６を構成する第２ホーン部材３８と第１ホーン部材３７とで前後から挟持するよう構成して、パチンコ機１０の前側に保護部材４１の取り付け部が露出しないようにしてあるので、保護部材４１が簡単に取り外されるのを防ぐことができる。
【００４５】
前記スピーカ２５,２６の前面に設けた区画壁３２を、取着部材３３の後周溝３３ｂに嵌合して出力部３０の前面側と背面側とを該区画壁３２によって確実に仕切るようにしたので、出力部３０から前面側に出る音が背面側に出る音によって打ち消されて音質が劣化したり音量が小さくなるのを防止することができる。また、スピーカ２５,２６の後部分を、空間容積の大きな音響空間Ｓ１に収容してあるので、小型のスピーカ２５,２６を用いて音質のよい効果音を出すことができる。
【００４６】
前記ホーン３６における導音路３９の外側に配設した前記発光基板４０に実装したＬＥＤ４０ａを発光すると、該光は光透過性を有する第２ホーン部材３８に向けて照射され、第２ホーン部材３８が明輝する。すなわち、スピーカ２５,２６による音響効果と併せて光による装飾効果により遊技演出の興趣を向上し得る。また、ホーン３６における第２ホーン部材３８の内壁３８ａおよび外壁３８ｂに光拡散処理を施してあるので、ＬＥＤ４０ａから照射された光を拡散してホーン３６の第２ホーン部材３８の全体を明輝することができ、光装飾効果をより向上し得る。更に、前記発光基板４０をホーン３６における導音路３９の外側に配置して前記放音口２９ａの前側に重ならないようにしたので、前記出力部３０から出力される音に影響を与えることはなく、スピーカ２５,２６の音量や音質を低下することなく前記ＬＥＤ４０ａでの光装飾により演出効果を高めることができる。
【００４７】
(変更例)
本願は前述した実施例の構成に限定されるものではなく、その他の構成を適宜に採用することができる。
(1) 実施例では、ホーンを第２ホーン部材と第１ホーン部材とから構成したが、単一の部材から構成したものであってもよい。
(2) 実施例では、放音口およびホーンの導音路の開口形状を円形としたが、開口形状は円形に限らず楕円形や角形、その他の形状であってもよい。
(3) 実施例では、スピーカのフレームが取り付けられる取着部材の前側にホーンを配設した場合で説明したが、取着部材を省略してホーンをフレームの前側に直接配設する構成を採用し得る。
(4) 実施例では、導音路の途中に保護部材を配設したが、該導音路の出口開口を保護部材で塞ぐようにしてもよい。すなわち、実施例において第２ホーン部材の前端側の開口(出口開口)に、該開口を塞ぐように保護部材を配設した構成や、実施例のホーンを第１ホーン部材のみから構成した構成を採用し得る。
(5) 実施例では、保護部材を後方に向けて凸となるドーム状に形成したが、前方に向けて凸となるドーム状としてもよく、または平らであってもよい。
(6) 実施例では、保護部材としてパンチングメタル等の多孔金属板を挙げたが、金網や樹脂製のスクリーンであってもよい。また、保護部材に形成する通孔の形状は、円形に限らず楕円形や角形、その他の形状であってもよい。更には、全ての通孔が同一形状や同一開口面積でなくてもよい。
(7) 実施例では、前枠における上部の角隅部にスピーカを取り付けた場合で説明したが、該スピーカを取り付ける位置(スピーカ設置部を設ける位置)はこれに限られるものでなく、例えば前枠の上部中央や側部に設けるものであってもよい。そして、前枠に対するスピーカの取り付け位置に応じて、該スピーカの前側に配設されるホーンの出口開口の向きを設定すればよい。
(8) 遊技機としては、パチンコ機に限られるものではなく、アレンジボール機やパチンコ球を用いたスロットマシン等、その他各種の遊技機であってもよい。
【符号の説明】
【００４８】
１５  前枠(前面部材)
１５ａ  窓口(可視部)
２５  第１スピーカ(スピーカ)
２６  第２スピーカ(スピーカ)
２９  フレーム
２９ａ  放音口
３０  出力部
３６  ホーン
３７  第１ホーン部材(ホーン)
３７ｃ  前端側の開口(出口開口)
３７ｄ  第１導音部(導音路)
３９  導音路
３９ａ  入口開口
３９ｂ  出口開口
４１  保護部材
４１ａ  通孔
【図１】
2014008170.tif 000003
【図２】
2014008170.tif 000004
【図３】
2014008170.tif 000005
【図４】
2014008170.tif 000006
【図５】
2014008170.tif 000007
【図６】
2014008170.tif 000008
【図７】
2014008170.tif 000009
【図８】
2014008170.tif 000010
【図９】
2014008170.tif 000011
【図１０】
2014008170.tif 000012